(57)【要約】【課題】可動ボードの昇降動作を阻害することなくフロア部の外観等を良好に維持することのできる自動車の可動フロア装置を提供する。【解決手段】クロスメンバ１１の前壁と、サイドシル１およびフロアトンネル２の側壁と、車体フロア３の底部前端から前上がりの傾斜状態で延びるフロアキックアップ１４部とに囲まれた凹部１７内に、その凹形状に対応した形状のパレット８を取り付け、このパレット８の内部に、乗員の足が載置される昇降可能な可動ボード５を設置する。【選択図】図３
2008049922.tif 000002
【特許請求の範囲】
【請求項１】
車体の側辺部に沿って前後方向に延びるサイドシルと、車体の幅方向中央付近において前後方向に延びるフロアトンネルとの間に形成された車体フロア上に、乗員用シートに着座した乗員が足を載置する昇降可能な可動ボードが設置された自動車の可動フロア装置であって、
上記サイドシルとフロアトンネルとの間には、車幅方向に延びて上記乗員用シートの前端部を支持するクロスメンバが突設されており、
上記車体フロア上には、上記クロスメンバの前壁と、上記サイドシルおよびフロアトンネルの側壁と、車体フロアの底部前端から前上がりの傾斜状態で延びるフロアキックアップ部とに囲まれた凹部が形成されているとともに、この凹部に対応した形状のパレットが該凹部内に収容されて取り付けられており、
上記可動ボードは、上記パレットの内部で昇降するように支持されていることを特徴とする自動車の可動フロア装置。
【請求項２】
請求項１記載の自動車の可動フロア装置において、
上記パレットは、その底面部の左右両側辺部からサイドシルおよびフロアトンネルの側壁に沿って略垂直に立ち上がる側壁面部を有し、
上記可動ボードは、その左右両端部の移動軌跡が上記パレットの側壁面部に沿うように正面視で略垂直に昇降することを特徴とする自動車の可動フロア装置。
【請求項３】
請求項２記載の自動車の可動フロア装置において、
上記可動ボードは、その足載置面よりも車幅方向外側に突出する支軸を有し、
上記パレットの左右の側壁面部には、上記可動ボードの支軸が挿通されるスライド孔が形成されており、
上記パレットの左右両外側の車体フロア上には、上記パレットの側壁面部の外側面に沿って略垂直に立ち上がる立壁部を有した支持部材が設置されており、
該支持部材の立壁部には、上記パレットのスライド孔に対応する部位に、このスライド孔を貫通してパレットの外部に突出した上記支軸を摺動自在に支持するガイド溝が形成されていることを特徴とする自動車の可動フロア装置。
【請求項４】
請求項３記載の自動車の可動フロア装置において、
上記可動ボードを昇降するための駆動源と、
この駆動源の駆動力に応じて上記可動ボードの後端部に車体の前後方向の力を入力する駆動力伝達機構とを備え、
上記可動ボードの支軸を支持するガイド溝が、車体前方側の斜め上方を指向する前上がりの傾斜状態で設置されていることにより、上記駆動力伝達機構から前後方向の力を受けた可動ボードがこのガイド溝に沿って前後方向に移動しつつ昇降するように構成されていることを特徴とする自動車の可動フロア装置。
【請求項５】
請求項４記載の自動車の可動フロア装置において、
上記パレットは、その底面部の前辺部から上記ガイド溝と略同一の傾斜角度をもって車体前方側の斜め上方に延びる前方傾斜面部を有することを特徴とする自動車の可動フロア装置。
【請求項６】
請求項１〜５のいずれか１項に記載の自動車の可動フロア装置において、
上記パレットの前端部側方には、乗員の左足が載置されるフットレスト部が形成されていることを特徴とする自動車の可動フロア装置。
【請求項７】
請求項１〜６のいずれか１項に記載の自動車の可動フロア装置において、
上記パレットには、そのフロアトンネル側の側壁面部の上端部から上記フロアトンネルの側壁に向かって斜め上方に延びる傾斜付き棚部が形成されていることを特徴とする自動車の可動フロア装置。
【発明の詳細な説明】
【技術分野】
【０００１】
本発明は、乗員用シートに着座した乗員の足元部に、車体フロアの上面を覆う昇降可能な可動ボードが設置された自動車の可動フロア装置に関する。
【背景技術】
【０００２】
従来、例えば下記特許文献１に示されるように、車体の床面部分を構成する車体フロア（フロアパネル）と、この車体フロア上であってブレーキペダル等の足踏みペダルの下方に位置する領域に配設された可動ボード（可動フロア）と、このフロアボードを上記車体フロアに対して昇降駆動する昇降駆動機構（可動フロア調整機構）とを備えた可動フロア装置が提案されている。この特許文献１に開示された可動フロア装置によれば、乗員の体格等に応じて可動ボードを昇降変位させることにより足踏みペダルの操作性を向上させることができる。
【特許文献１】特開２００５−２７１８２９号公報
【発明の開示】
【発明が解決しようとする課題】
【０００３】
ところで、上記のような可動フロア装置において、上記可動ボードの周辺の車体フロア上には、例えばサイドシルやフロアトンネル等の部材が突設されており、これらの部材の壁面と上記可動ボードとの間に大きな隙間が生じると、フロア部の外観が損なわれるとともに、当該隙間からゴミ等の異物が侵入し易くなってしまう。そこで、このような隙間をできるだけ小さくすることが望ましいが、上記サイドシルやフロアトンネル等の部材には構造上必要な突起や段差等が存在する場合があるため、外観の向上等のために上記可動ボード周りの隙間を一律に小さくしようとすると、上記のような構造物と可動ボードとが干渉する等により可動ボードの円滑な昇降動作が阻害されるおそれがある。
【０００４】
本発明は、上記のような事情に鑑みてなされたものであり、可動ボードの昇降動作を阻害することなくフロア部の外観等を良好に維持することのできる自動車の可動フロア装置を提供することを目的とする。
【課題を解決するための手段】
【０００５】
上記課題を解決するためのものとして、本発明は、車体の側辺部に沿って前後方向に延びるサイドシルと、車体の幅方向中央付近において前後方向に延びるフロアトンネルとの間に形成された車体フロア上に、乗員用シートに着座した乗員が足を載置する昇降可能な可動ボードが設置された自動車の可動フロア装置であって、上記サイドシルとフロアトンネルとの間には、車幅方向に延びて上記乗員用シートの前端部を支持するクロスメンバが突設されており、上記車体フロア上には、上記クロスメンバの前壁と、上記サイドシルおよびフロアトンネルの側壁と、車体フロアの底部前端から前上がりの傾斜状態で延びるフロアキックアップ部とに囲まれた凹部が形成されているとともに、この凹部に対応した形状のパレットが該凹部内に収容されて取り付けられており、上記可動ボードは、上記パレットの内部で昇降するように支持されていることを特徴とするものである。
【０００６】
本発明によれば、車体フロア上に突設されたサイドシルやフロアトンネル、クロスメンバ等に囲まれた凹部内に、その凹形状に対応する形状のパレットを取り付け、乗員の足が載置される昇降可能な可動ボードをこのパレットの内部に設置することにより、上記サイドシルやフロアトンネル等の車体側部材とは仕切られた空間内で上記可動ボードを昇降変位させるようにしたため、上記車体側部材に構造上存在し得る突起や段差等が上記可動ボードの昇降動作を阻害するのを効果的に防止でき、これに応じて可動ボードを円滑に昇降変位させることができる。しかも、内部に可動ボードが収容されるパレットの形状を、その内壁面と可動ボードとの隙間が小さくなるように容易に成形できるため、乗員の足元部のフロア外観を効果的に向上させることができるとともに、上記隙間からゴミ等の異物が浸入するのを効果的に防止することができる。
【０００７】
上記パレットは、その底面部の左右両側辺部からサイドシルおよびフロアトンネルの側壁に沿って略垂直に立ち上がる側壁面部を有し、上記可動ボードは、その左右両端部の移動軌跡が上記パレットの側壁面部に沿うように正面視で略垂直に昇降することが好ましい（請求項２）。
【０００８】
このように、パレットの左右の側壁面部を略垂直向きに立ち上がるように形成した上で、このパレットの内部で可動ボードを略垂直に昇降変位させることにより、可動ボードの左右両端部の移動軌跡がこのパレットの側壁面部に沿うようにした場合には、可動ボードの上下位置にかかわらず可動ボードの左右両端部とパレットの側壁面部との隙間を常に小さい値に維持できるため、フロア部の外観をより向上させることができる等の利点がある。
【０００９】
上記可動ボードは、乗員の足載置面よりも車幅方向外側に突出する支軸を有し、上記パレットの左右の側壁面部には、上記可動ボードの支軸が挿通されるスライド孔が形成されており、上記パレットの左右両外側部には、上記パレットの側壁面部の外側面に沿って略垂直に立ち上がる立壁部を有した支持部材が設置されており、該支持部材の立壁部には、上記パレットのスライド孔に対応する部位に、このスライド孔を貫通してパレットの外部に突出した上記支軸を摺動自在に支持するガイド溝が形成されていることが好ましい（請求項３）。
【００１０】
このように、可動ボードの支軸が挿通されるスライド孔を上記パレットの側壁面部に設け、このスライド孔を貫通してパレットの外部に突出した上記支軸を、パレットの左右両外側に設置された支持部材に支持させた場合には、可動ボードとこれを支持する支持部材との間にパレットの側壁面部が介在することとなり、可動ボードを支持するための構造がこのパレットにより隠蔽されるため、フロア部の外観をより良好に維持することができる。また、上記可動ボードの支軸を摺動自在に支持するガイド溝を上記支持部材に設けたことにより、上記支軸と摺接するガイド溝の周縁部によって可動ボードを確実に支持しつつ、この可動ボードを上記ガイド溝に沿って安定した状態でスムーズに昇降変位させることができるという利点がある。
【００１１】
上記構成においては、上記可動ボードを昇降するための駆動源と、この駆動源の駆動力に応じて上記可動ボードの後端部に車体の前後方向の力を入力する駆動力伝達機構とを備え、上記可動ボードの支軸を支持するガイド溝が、車体前方側の斜め上方を指向する前上がりの傾斜状態で設置されていることにより、上記駆動力伝達機構から前後方向の力を受けた可動ボードがこのガイド溝に沿って前後方向に移動しつつ昇降するように構成されていることが好ましい（請求項４）。
【００１２】
このように、前上がりに傾斜したガイド溝に可動ボードの支軸を支持させるとともに、可動ボードの後端部に駆動力伝達機構を介して車体の前後方向の力を入力することにより、上記ガイド溝に沿って可動ボードを前後方向に移動させつつ昇降駆動するようにした場合には、可動ボードの下方に例えば昇降駆動用のリンク機構等からなる特別な装置を何ら設けることなくこの可動ボードを昇降変位させることができるため、可動ボードの下降時の設置高さをより低くすることができる。これにより、特に体格の大きい乗員の着座姿勢が窮屈になるのを効果的に防止でき、体格に応じたより広範囲な着座姿勢を乗員にとらせることが可能になる。
【００１３】
上記パレットは、その底面部の前辺部から上記ガイド溝と略同一の傾斜角度をもって車体前方側の斜め上方に延びる前方傾斜面部を有することが好ましい（請求項５）。
【００１４】
このように、パレットの底面部の前辺部から斜め上方に延びる前方傾斜面部の設置角度を、上記ガイド溝と略同一の傾斜角度に設定した場合には、上記前方傾斜面部を可動ボードの前端部の移動軌跡に沿うように形成できるため、上記可動ボードの上下位置にかかわらずこの可動ボードの前端部とパレットの前方傾斜面部との隙間を常に小さい値に維持すうことができ、これに応じてフロア部の外観をさらに向上させることができる等の利点がある。
【００１５】
上記パレットの前端部側方には、乗員の左足が載置されるフットレスト部が形成されていることが好ましい（請求項６）。
【００１６】
このように、パレットの前端部側方にフットレスト部を設けた場合には、例えば車体フロアの前端部にフットレスト部を設けた場合と異なり、パレットを車体フロア上に取り付ける際にこのフットレスト部が邪魔になるのを有効に回避でき、上記パレットの取付作業性を良好に維持できるという利点がある。
【００１７】
上記パレットには、そのフロアトンネル側の側壁面部の上端部から上記フロアトンネルの側壁に向かって斜め上方に延びる傾斜付き棚部が形成されていることが好ましい（請求項７）。
【００１８】
このようにすれば、乗員が傾斜付き棚部に左足を載置するのを防止してフットレスト部等の適正位置に左足を載置するよう乗員に促すことができ、車両の衝突時等における乗員の安全性をより良好に確保することができる。
【発明の効果】
【００１９】
以上説明したように、本発明によれば、可動ボードの昇降動作を阻害することなくフロア部の外観等を良好に維持することのできる自動車の可動フロア装置を提供することができる。
【発明を実施するための最良の形態】
【００２０】
図１および図２は、本発明の一実施形態にかかる可動フロア装置を示している。この可動フロア装置は、運転席等からなる乗員用シート４に着座した乗員の足元部に位置する車体フロア３の上面を覆うように設置された昇降可能な可動ボード５と、この可動ボード５を昇降させる駆動源として上記乗員用シート４の下方に設置された電動モータ６と、この電動モータ６の駆動力を上記可動ボード５に伝達する駆動力伝達機構７とを備えている。
【００２１】
上記車体フロア３は、図１〜図３に示すように、車体の左右両側辺部において前後方向に延びるように設置されたサイドシル１と、車体の幅方向中央部おいて前後方向に延びるように設置されたフロアトンネル２との間に形成された略平坦なパネルによって構成されている。この車体フロア３の上面部には、車幅方向に延びて上記サイドシル１とフロアトンネル２とを連結するとともに、上記乗員用シート４の前端部が支持されるクロスメンバ１１が突設されており、このクロスメンバ１１よりも前方に位置するフロア前方部１３上に、上記可動ボード５が設置されている。
【００２２】
上記フロア前方部１３の前端部からは、エンジンルームと車室とを仕切るダッシュパネル１５の下端部に接合されるフロアキックアップ部１４が、前上がりの傾斜状態で車体の前方側に延びており、このフロアキックアップ部１４の上方に、運転者により操作されるアクセルペダルやブレーキペダル等からなる足踏みペダル２０が設置されている。また、上記ダッシュパネル１５の下方部には、後下がりの傾斜状態で車体の後方側に延びる下部傾斜部１６が形成されており、この下部傾斜部１６と上記フロアキックアップ部１４とが、部分的に重なり合う状態でスポット溶接等により接合されている。
【００２３】
図３に示すように、上記車体フロア３上には、クロスメンバ１１の前壁と、サイドシル１およびフロアトンネル２の側壁と、フロアキックアップ部１４とに囲まれ、上記フロア前方部１３を底部とする凹部１７が形成されている。この凹部１７内には、図１〜図５に示すように、その凹形状に対応した形状を有するパレット８が配設され、このパレット８の内部に、上記可動ボード５が昇降可能な状態で設置されるようになっている。
【００２４】
上記パレット８は、図２〜図５に示すように、上記可動ボード５を収容するための凹部４６が形成された樹脂製の一体成形品からなり、上記凹部４６の底部を構成する底面部３５と、この底面部３５の左右両側辺部からサイドシル１およびフロアトンネル２の側壁に沿って略垂直に立ち上がる側壁面部３６，３６と、上記底面部３５の前辺部からフロアキックアップ部１４に沿って前上がりの傾斜状態で車体の前方側に延びる前方傾斜面部３８と、上記底面部３５の後辺部からクロスメンバ１１の前壁に沿って立ち上がる後面部３９と、サイドシル１側の側壁面部３６の上端部から車幅方向外側に向かって略水平に延びる棚部４０と、フロアトンネル２側の側壁面部３６の上端部から車幅方向内側の斜め上方に延びる傾斜付き棚部４１と、上記前方傾斜面部３８の前端部側方から斜め上方に突設され、乗員の左足が載置される載置面４５ａを有したフットレスト部４５と、上記後面部３９の上端部からクロスメンバ１１の上面部に沿って車体の後方側に延びる後方延出部４２と、この後方延出部４２の左右両側部に突設された隆起部４３，４３とを有している。上記棚部４０および傾斜付き棚部４１は、左右の側壁面部３６，３６の上端部からそれぞれサイドシル１およびフロアトンネル２の側壁に近接する位置まで延びており、これらサイドシル１およびフロアトンネル２と上記各側壁面部３６，３６との隙間を覆うように設置されている。
【００２５】
図２および図３に示すように、上記パレット８の側壁面部３６には、前上がりに傾斜した前後一対のスライド孔４４ａ，４４ｂが形成されており、可動ボード５に設けられた前後一対の支軸２８ａ，２８ｂ（詳細は後述する）が、上記スライド孔４４ａ，４４ｂを貫通して外部に突出した状態で支持されるようになっている。
【００２６】
具体的に、上記パレット８の左右両外側のフロア前方部１３上には、図１および図３に示す左右一対の支持部材３０，３０が設置されており、これら各支持部材３０，３０により、上記スライド孔４４ａ，４４ｂを貫通してパレット８の外部に突出した上記支軸２８ａ，２８ｂの左右両端部が支持されている。すなわち、支持部材３０は、上記可動ボード５との間にパレット８の側壁面部３６を介在させた状態で可動ボード５を支持している。
【００２７】
上記支持部材３０は、図３〜図５に示すように、フロア前方部１３の上面部から略垂直に立ち上がり、上記パレット８の側壁面部３６の外側面に沿うように設置された立壁部３１と、この立壁部３１を支持するとともに上記フロア前方部１３の上面にボルト等により固定される脚部３２とを有している。上記立壁部３１には、上記パレット８の各スライド孔４４ａ，４４ｂに対応する部位に、上記可動ボード５の支軸２８ａ，２８ｂがそれぞれ挿通される前後一対のガイド溝３３ａ，３３ｂが形成されている。
【００２８】
上記ガイド溝３３ａ，３３ｂは、立壁部３１の下方部前後位置からそれぞれ車体前方側の斜め上方に延び、その傾斜角度が互いに一致する状態で設置されている。詳細は後述するが、これらガイド溝３３ａ，３３ｂに各支軸２８ａ，２８ｂが挿通された上記可動ボード５には、上記駆動力伝達機構７を介して車体の前後方向の力が入力されるようになっており、この前後方向の力に応じて上記可動ボード５がガイド溝３３ａ，３３ｂに沿って前後方向に移動しつつ昇降するようになっている。すなわち、上記駆動力伝達機構７から前後方向の力を受けた可動ボード５が同方向に移動しつつ昇降するように案内するガイド手段が、前上がりに傾斜する上記ガイド溝３３ａ，３３ｂによって構成されている。
【００２９】
これらガイド溝３３ａ，３３ｂの傾斜角度は、上記パレット８の前方傾斜面部３８の傾斜角度と略同一に設定されている。これにより、上記ガイド溝３３ａ，３３ｂに沿って昇降変位する可動ボード５の前端部が、上記前方傾斜面部３８に沿った移動軌跡を辿るように構成されている。また、上記可動ボード５が、上記ガイド溝３３ａ，３３ｂを有する支持部材３０の立壁部３１に沿って正面視で略垂直に昇降変位するとともに、この可動ボード５を収容するパレット８の側壁面部３６も略垂直向きに設置されていることから、上記可動ボード５の左右両端部は、この側壁面部３６に沿った移動軌跡を辿るようになっている。
【００３０】
図６に示すように、上記パレット８の側壁面部３６の外側面には、上記支持部材３０の立壁部３１に形成された係合孔部８０と係合する係合爪部４７が形成されており、これら係合爪部４７と係合孔部８０とが係合した状態で、上記パレット８が支持部材３０に係脱可能に取り付けられるようになっている。上記係合爪部４７は、上記パレット８の側壁面部３６から外側に突出するベース部４８ａとその先端から下方に延びるフック部４８ｂとからなる第１係合爪４８と、この第１係合爪４８を挟んだ前後両側２箇所に形成された楔状体からなる第２係合爪４９，４９とを有している。一方、上記係合孔部８０は、上記第１係合爪４８に対応した位置に形成された矩形状の孔からなる挿通部８１ａが上側に、これよりも幅狭のスリット部８１ｂが下側に形成された第１係合孔８１と、上記スリット８１ｂを挟んだ前後両側２箇所であって上記第２係合爪４９に対応する位置に形成された第２係合孔８２，８２とを有している。なお、上記第１係合爪４８のフック部４８ｂの裏面には、上記第１係合孔８１のスリット部８１ｂと略同一の幅を有して組付け時にこれに嵌挿される突起（図示省略）が設けられている。以上のような係合爪部４７および係合孔部８０を有したパレット８および支持部材３０の組み付けは、フロア前方部１３上に上記支持部材３０が固定される前に行われる。具体的に、上記組み付けは、図７（ａ）に示すように、フロア前方部１３上に固定される前の支持部材３０に対し、その第１係合孔８１の挿通部８１ａと上記第１係合爪４８のフック部４８ｂとを位置合わせした状態で、パレット８の側壁面部３６を押し付け、さらにこの状態から上記第１係合爪４８のフック部４８ｂを第１係合孔８１の挿通部８１ａに挿通させるように、上記パレット８を弾性変形させつつ下方に押し下げることによって行うことができる。これにより、図７（ｂ）に示すように、第１係合爪４８のフック部４８ｂの裏面と第１係合孔８１のスリット部８１ｂの周縁部とが係合するとともに、第２係合爪４９の上面部と第２係合孔８２の上辺部とが係合し、これに応じて上記パレット８の支持部材３０に対する上下方向および左右方向の相対移動が規制されることになる。
【００３１】
上記のようにして互いに組み付けられたパレット８と支持部材３０とは、このうちの支持部材３０の脚部３２がフロア前方部１３の上面部にボルト締結されることにより、フロア前方部１３上に固定される。そして、上記脚部３２のボルト締結作業を容易化するためのものとして、上記パレット８の底面部３５には、図３に示すように、その四隅の所定範囲を切り欠いてなる複数の作業用孔３７が形成されている。すなわち、上記支持部材３０の脚部３２をフロア前方部１３上にボルト締結する際には、上記脚部３２の上面を覆うパレット８の底面部３５が邪魔になるため、この底面部３５のうち上記脚部３２のボルト締結部（脚部３２に設けられたボルト穴設置部）に対応する部分に、それぞれ上記作業用孔３７が設けられている。これにより、上記脚部３２のボルト締結作業をこの作業用孔３７を通じて容易に行うことが可能になる。
【００３２】
上記可動ボード５は、図３に示すように、乗員の踵部が載置される平板状のボード部材２２と、このボード部材２２を支持するベース部材２３とから構成されている。このうちベース部材２３は、矩形枠状のフレーム２４と、このフレーム２４の対向する辺どうしを連結する第１および第２の補強プレート２６，２７と、上記フレーム２４の四隅に配設され、その隣接する辺どうしを連結する４つの連結金具２５とを有しており、上記補強プレート２６，２７および連結金具２５の上面に、上記ボード部材２２が支持されるようになっている。
【００３３】
上記フレーム２４の前後２箇所には、車幅方向に延びる支軸２８ａ，２８ｂが溶接により固定されている。この支軸２８ａ，２８ｂは、その左右両端部が上記フレーム２４の左右両側辺部よりも外側に突出する状態で取り付けられており、この支軸２８ａ，２８ｂの左右両端部が、上記支持部材３０のガイド溝３３ａ，３３ｂに挿通されて支持されるようになっている。また、各支軸２８ａ，２８ｂには、上記ガイド溝３３ａ，３３ｂに挿通された後の各支軸２８ａ，２８ｂの両端部に係止される着脱可能なスピードナット２９が取り付けられており、このスピードナット２９が上記ガイド溝３３ａ，３３ｂの周縁部に当接することにより、上記各支軸２８ａ，２８ｂの車幅方向の移動が規制されるようになっている。
【００３４】
図１および図３に示すように、上記可動ボード５は、クロスメンバ１１の上方を跨いで下方に垂下する側面視逆Ｌ字状体からなる連結部材５７を介して上記駆動力伝達機構７に連結されている。この連結部材５７は、図８および図９に示すように、クロスメンバ１１の上方を覆うように水平に延びる水平面部５８と、この水平面部５８の前端部からクロスメンバ１１の前壁に沿って下方に延びる垂下部５９と、この垂下部５９の下端部に設置され、上記支軸２８ａが挿通される筒状のボス部６０とを有しており、このボス部６０に挿通される支軸２８ａを支点に回動可能な状態で上記可動ボード５と駆動力伝達機構７とを連結している。図９においてハッチングで示す部位Ｗは溶接箇所を表わしており、この溶接箇所Ｗを介して上記支軸２８ａとフレーム２４の後辺部とが並列状態で互いに接合されるようになっている。なお、上記連結部材５７のボス部６０とフレーム２４とは溶接されておらず、上記支軸２８ａに対してボス部６０が自由に相対回転できるようになっている。このように構成された可動ボード５および連結部材５７は、上記パレット８および支持部材３０とともにあらかじめ車外で組み付けられた状態でフロア前方部１３上に設置される。
【００３５】
図２および図３に示すように、上記可動ボード５と駆動力伝達機構７とを連結する連結部材５７の上方には、その連結部周辺を隠蔽するためのカバー部材９０が設置されている。このカバー部材９０は、上記パレット８後端の左右両側部に形成された隆起部４３，４３の間に位置して両部材の間の空間を埋めるように設置されている。
【００３６】
上記乗員用シート４は、図１に示すように、車室前部の運転席側および助手席側にそれぞれ個別に設置されたセパレートタイプのシートであり、乗員の着座面を構成するシートクッション６１と、このシートクッション６１の後端部から上方に立ち上がるシートバック６２と、このシートバック６２の上端部に取り付けられたヘッドレスト６３とを備えている。上記シートクッション６１は、その本体部（クッション材）を下方から覆うような状態で支持するクッションフレーム６４を有し、このクッションフレーム６４の下方には、車体の前後方向に延びるシートスライドレール６５が配設されている。そして、上記乗員用シート４は、このシートスライドレール６５を介して前後方向に移動可能な状態で車体フロア３上に支持されている。
【００３７】
上記シートスライドレール６５は、前上がりの傾斜状態で車体側に固定された断面Ｃ字状部材等からなる左右一対のロアレール６７と、このロアレール６７に沿って摺動可能に支持された左右一対のアッパレール６６とを有し、上記アッパレール６６がロアレール６７に対して相対変位するのに応じて、上記乗員用シート４が前後方向に移動するようになっている。
【００３８】
また、上記シートスライドレール６５の後方部には、上記アッパレール６６の前後移動に応じて上記乗員用シート４の後方部を昇降させるチルト機構５０が設けられている。このチルト機構５０は、上記クッションフレーム６４の後方部とシートスライドレール６５との間に設置された後方リンク部材５４と、上記ロアレール６７の後方部に固定されて上記後方リンク部材５４をスライド自在に支持する支持プレート５１とを備えている。また、上記シートスライドレール６５の前方部には、アッパレール６６とクッションフレーム６４とにそれぞれ両端部が枢支された前方リンク部材５６が設置されている。
【００３９】
上記後方リンク部材５４は、側面から見て三角形状に形成された板状の部材であり、その各頂点部Ａ〜Ｃが、上記アッパレール６６に突設された突板５５と、上記クッションフレーム６４の後方部と、支持プレート５１とにそれぞれ枢支されている。また、上記支持プレート５１には、シートスライドレール６５よりも急角度で前上がりに傾斜したスライド溝５２が形成されており、上記後方リンク部材５４の下側の頂点部Ｃがこのスライド溝５２に沿ってスライド自在に支持されている。これにより、上記乗員用シート４の前後移動時に、後方リンク部材５４が上記アッパレール６６の突板５５との枢支点（頂点部Ａ）を支点に揺動変位して上記クッションフレーム６４の後部が昇降されるようになっている。
【００４０】
具体的に、例えば乗員用シート４のクッションフレーム６４がシートスライドレール６５に沿って図１に示す後端位置から図１３に示す前端位置に移動した場合には、支持プレート５１に支持された後方リンク部材５４の頂点部Ｃが、スライド溝５２に沿って急角度で斜め上方に移動する一方、アッパレール６６の突板５５に枢支された頂点部Ａは、アッパレール６６の設置角度に沿って緩やかな角度で斜め上方に移動する。これにより、後方リンク部材５４が上記頂点部Ａを支点としてクッションフレーム６４との枢支点である頂点部Ｂを上方に変位させるように揺動変位し、これに応じて図１３に示すように、クッションフレーム６４の後方部が所定距離上方に押し上げられることになる。
【００４１】
以上のような乗員用シート４には、上記可動ボード５を昇降駆動するための電動モータ６とは別体のシート駆動用モータと、このシート駆動用モータの駆動力を上記シートスライドレール６５のアッパレール６６に伝達することにより、このアッパレール６６を前後方向に駆動するスライド駆動機構（いずれも図示省略）とが設けられており、上記シート駆動用モータが正転または逆転作動するのに応じて、クッションフレーム６４がロアレール６７に沿って前後方向に移動するとともに、上記後方リンク部材５４等からなるチルト機構５０によってクッションフレーム６４の後方部が押し上げられるようになっている。
【００４２】
例えば、上記乗員用シート４に背の低い乗員Ｓが着座する際に、図外の操作スイッチを操作して上記シート駆動用モータを正転させることにより、乗員用シート４を車体の前方側にスライド変位させると、図１３に示すようにシートクッション６１の前方部がロアレール６７に沿って上昇するとともに、シートクッション６１の後方部が押し上げられることになるため、シートクッション６１に対する乗員Ｓの着座中心を表すヒップポイントが、乗員Ｓの身長に対応して前部上方に移動することにより、この乗員Ｓの視線が適正ラインＬに一致することになる。また、上記乗員用シート４の前方移動に応じてシートクッション６１の後端部が押し上げられて、その設置角度が水平に近い状態となることにより、足の長さが相対的に短くなる低身長者Ｓが、膝を大きく折り曲げてその膝下部を所定角度で垂下させた状態で着座できるようになるため、この低身長者Ｓの足先が床面から離間した状態となることが防止される。
【００４３】
一方、上記乗員用シート４に背の高い乗員Ｔが着座する際に、上記シート駆動用モータを逆転させて乗員用シート４を車体の後方側にスライド変位させると、図１に示すように、シートクッション６１の前方部がロアレール６７に沿って下降するとともに、シートクッション６１の後方部が押し下げられることになるため、シートクッション６１に対する乗員Ｔの着座中心を表すヒップポイントが、乗員Ｔの身長に対応して後部下方に移動することにより、この乗員Ｔの視線が適正ラインＬに一致することになる。また、上記乗員用シート４の後方移動に応じてシートクッション６１が前上がりの傾斜状態となることにより、足の長さが相対的に長くなる高身長者Ｔが、膝の折曲げ角度を小さくしてその膝下部を前方に延ばした状態で着座できるようになるため、この高身長者Ｔの着座姿勢が窮屈な状態になることが防止される。
【００４４】
図１および図２に示すように、上記乗員用シート４には、車幅方向に延びて左右一対のロアレール６７，６７の下面部どうしを連結する車幅方向メンバ６８が設置されており、この車幅方向メンバ６８上に、上記電動モータ６の駆動力を可動ボード５に伝達する駆動力伝達機構７が支持されている。この駆動力伝達機構７およびその支持部を図１０に示す。本図に示すように、上記車幅方向メンバ６８の中央部付近には所定距離下方に凹入する凹入部６８ａが形成され、この凹入部６８ａ上に設置された揺動支持機構７９を介して、上記駆動力伝達機構７が揺動自在に支持されている。
【００４５】
上記揺動支持機構７９は、上記車幅方向メンバ６８の凹入部６８ａ上に立設された左右一対の固定プレート６９，６９と、平面視コ字状体からなるとともにその左右両側辺部が上記固定プレート６９，６９にピポットＰを介してそれぞれ枢支された揺動ブラケット７６とを有しており、このうちの揺動ブラケット７６の前端面が駆動力伝達機構７の第２のギアボックス７８（詳細は後述する）の後面側に締結固定された状態で、上記駆動力伝達機構７を揺動自在に支持している。
【００４６】
上記駆動力伝達機構７は、図１〜３および図１０に示すように、車体の前後方向に延びてその前端部が上記連結部材５７を介して可動ボード５の後端部に連結されるロッド７３と、このロッド７３と上記電動モータ６の出力軸とを連動連結する第１および第２のギアボックス７７，７８とを有している。このうち第２のギアボックス７８の前面側には、図１０に示すように、平面視で縦長の逆コ字状体からなるとともに、上記ロッド７３を案内するためのガイド溝７５（以下、ロッド用ガイド溝７５と称する。）が左右両側部に形成されたガイドブラケット７４が締結固定されている。
【００４７】
上記ロッド７３は、上記第２のギアボックス７８内のウォームナット８７（図１２参照；詳細は後述する）によりねじ送りされて前後方向に進退するねじ軸７０と、このねじ軸７０の前端部に締結ピン７２を介して接続された延長ロッド７１とから構成されている。図１１は図１０のXI−XI線に沿った断面を表わしており、この図１１に示すように、上記延長ロッド７１は、ねじ軸７０の前端部を内部に収容する断面視コ字状体からなり、その左右両側辺部を貫通するとともに上記ねじ軸７０の周面の対向する２箇所に嵌着される左右一対の締結ピン７２，７２を介してねじ軸７０に接続されている。
【００４８】
図３に示すように、上記延長ロッド７１の前端部には、上記連結部材５７に対応するように幅広に形成された連結部材対応部８８が形成されており、この連結部材対応部８８が図１および図８に示すように連結部材５７の裏面に重ね合わされて取付ビス等で締結されることにより、上記延長ロッド７１が連結部材５７を介して可動ボード５の後端部に連結されるようになっている。
【００４９】
上記第１のギアボックス７７は、複数のピニオン歯車等からなる減速ギア機構（図示省略）を内部に備えており、この減速ギア機構を介して上記電動モータ６の出力軸の回転速度を減速しつつその駆動力を上記第２のギアボックスに伝達するように構成されている。一方、図１２に示すように、上記第２のギアボックス７８は、上記第１のギアボックス７７の出力側から延びる軸部８５と一体に回転するようにこれに止着されたウォーム軸８６と、このウォーム軸８６と回転中心が直交する状態で噛み合わされるウォーム歯面を外周面に有するとともに上記ロッド７３のねじ軸７０が嵌合される雌ねじを内周面に有したウォームナット８７とを内部に備えており、上記ウォーム軸８６によりウォームナット８７が回転駆動されるのに応じて、このウォームナット８７に嵌合されたねじ軸７０をねじ送りして前後方向に移動させるように構成されている。
【００５０】
上記のようにウォームナット８７の回転駆動に応じてねじ軸７０がねじ送りされると、このねじ軸７０および上記延長ロッド７１からなるロッド７３から可動ボード５の後端部に、連結部材５７を介して車体の前後方向の力が入力され、これに応じて上記可動ボード５がその両側の支持部材３０に形成されたガイド溝３３ａ，３３ｂに案内されながら昇降変位することになる。例えば、可動ボード５が図１および図８に示す下降位置にあるときに、上記電動モータ６が正転して上記ねじ軸７０が前方にねじ送りされ、これに応じて可動ボード５の後端部に前方向きの力が入力されると、この可動ボード５の支軸２８ａ，２８ｂが上記ガイド溝３３ａ，３３ｂに沿って斜め上方に移動することにより、可動ボード５が図１３に示す上昇位置に変位する。このとき、上記各支軸２８ａ，２８ｂをそれぞれ案内するガイド溝３３ａ，３３ｂの傾斜角度が互いに一致していることから、可動ボード５はその設置角度を略水平向きに維持したまま上記ガイド溝３３ａ，３３ｂに沿って上昇することになる。一方、この状態から上記電動モータ６が逆転して上記ねじ軸７０が後方にねじ送りされ、これに応じて可動ボード５の後端部に後方向きの力が入力されると、上記各支軸２８ａ，２８ｂがガイド溝３３ａ，３３ｂに沿って斜め下方に移動することにより、可動ボード５が図１に示す下降位置に変位することになる。
【００５１】
図１および図１３を比較すると分かるように、上記可動ボード５の後端部に連結部材５７を介して連結されたロッド７３の側面視での設置角度は、上記可動ボード５の昇降変位に伴って所定の角度範囲で変化する。例えば、可動ボード５が図１に示す下降位置にあるときのロッド７３の設置角度は略水平向きとされているが、この状態から可動ボード５が図１３に示す上昇位置に変位し、この可動ボード５に連結されたロッド７３の前端部が上昇すると、これに応じてロッド７３が上記揺動支持機構７９のピポットＰ（図１２）を支点に揺動変位して斜め上方に傾斜した状態に移行することにより、当該ロッド７３の側面視での設置角度が所定角度だけ変化する。これに対し、可動ボード５は上記のように水平向きの設置角度を維持したまま上昇するため、この可動ボード５と上記ロッド７３との設置角度の差（相対角度）がある程度変化することになるが、このような相対角度の変化は、ロッド７３と可動ボード５とを連結する連結部材５７が上記可動ボード５との連結点である支軸２８ａを支点に回動変位することで吸収されるようになっている。すなわち、上記可動ボード５に対してロッド７３の設置角度が相対変位するのを許容する屈曲許容部が、上記支軸２８ａとこの支軸２８ａが挿通される連結部材５７のボス部６０とによって構成されている。一方、上記ロッド７３を含んだ駆動力伝達機構７を支持する揺動支持機構７９は、上記のような可動ボード５の昇降変位に伴い、図１２（ａ）（ｂ）に示すように、揺動ブラケット７６を固定プレート６９に対してピポットＰを支点に回動変位させ、これに応じて上記ロッド７３の設置角度を変化させる。すなわち、上記揺動支持機構７９は、上記可動ボード５の昇降変位に伴うロッド７３の設置角度の変化を許容しながら上記駆動力伝達機構７を支持するように構成されている。
【００５２】
上記のような駆動力伝達機構７を介して昇降駆動される可動ボード５は、乗員用シート４の前後移動に連動して昇降するように構成されている。すなわち、乗員用シート４を前後方向に移動させるために乗員が図外の操作スイッチを操作すると、可動ボード５駆動用の電動モータ６も作動し、これに応じて可動ボード５が昇降駆動されるようになっている。例えば、低身長者Ｓが乗員用シート４に着座する際に、図外の操作スイッチを操作して乗員用シート４を車体の前方側に移動させると、これに連動して電動モータ６が正転するとともに駆動力伝達機構７のロッド７３が前方に押し出され、これに応じて可動ボード５が図１３に示す上昇位置に変位する。一方、高身長者Ｔが乗員用シート４に着座する際に、乗員用シート４を車体の後方側に移動させると、これに連動して電動モータ６が逆転するとともに駆動力伝達機構７のロッド７３が後退し、これに応じて可動ボード５が図１に示す下降位置に変位する。これにより、乗員の踵部が載置される上記可動ボード５の設置高さが、乗員Ｓ，Ｔの足の長さに適した位置に調節されるようになっている。
【００５３】
以上説明したように、上記実施形態によれば、車体フロア３上に突設されたサイドシル１やフロアトンネル２、クロスメンバ１１等に囲まれた凹部１７内に、その凹形状に対応する形状のパレット８を取り付け、乗員の足が載置される昇降可能な可動ボード５をこのパレット８の内部に設置することにより、上記サイドシル１やフロアトンネル２等の車体側部材とは仕切られた空間内で上記可動ボード５を昇降変位させるようにしたため、上記車体側部材に構造上存在し得る突起や段差等が上記可動ボード５の昇降動作を阻害するのを効果的に防止でき、これに応じて可動ボード５を円滑に昇降変位させることができる。しかも、内部に可動ボード５が収容されるパレット８の形状を、その側壁面部３６等の内壁面と可動ボード５との隙間が小さくなるように容易に成形できるため、乗員の足元部のフロア外観を効果的に向上させることができるとともに、上記隙間からゴミ等の異物が浸入するのを効果的に防止することができる。
【００５４】
また、車体フロア３とは別部材からなるパレット８の内部で可動ボード５を昇降変位させるようにしたため、この可動ボード５が昇降変位する範囲を乗員に容易に認知させることができ、可動ボード５が乗員の予想に反した動きをして乗員が違和感を覚えるのを効果的に防止することができる。さらには、ボード部２２やフレーム２４等からなる可動ボード５をあらかじめ車外で組み立ててパレット８の内部に取り付けておき、このパレット８をフロア前方部１３上（凹部１７内）に支持部材３０を介して取り付けるようにすれば、上記可動ボード５をフロア前方部１３上に組み付ける作業をより容易に行うことができるため、可動ボード５の組付作業性を効果的に向上させることができる。
【００５５】
また、上記実施形態のように、パレット８の左右の側壁面部３６，３６を略垂直向きに立ち上がるように形成した上で、このパレット８の内部で可動ボード５を略垂直に昇降変位させることにより、可動ボード５の左右両端部の移動軌跡がこのパレット８の側壁面部３６，３６に沿うようにした場合には、可動ボード５の上下位置にかかわらずこの可動ボード５の左右両端部とパレット８の側壁面部３６，３６との隙間を常に小さい値に維持できるため、フロア部の外観をより向上させることができる等の利点がある。
【００５６】
また、上記実施形態のように、可動ボード５の支軸２８ａ，２８ｂが挿通されるスライド孔４４ａ，４４ｂを上記パレット８の側壁面部３６に設け、このスライド孔４４を貫通してパレット８の外部に突出した上記支軸２８ａ，２８ｂを、パレット８の左右両外側に設置された支持部材３０，３０に支持させた場合には、可動ボード５とこれを支持する支持部材３０との間にパレット８の側壁面部３６が介在することとなり、可動ボード５を支持するための構造がこのパレット８により隠蔽されるため、フロア部の外観をより良好に維持することができる。また、上記可動ボード５の支軸２８ａ，２８ｂを摺動自在に支持するガイド溝３３ａ，３３ｂを上記支持部材３０に設けたことにより、上記支軸２８ａ，２８ｂと摺接するガイド溝３３ａ，３３ｂの周縁部によって可動ボード５を確実に支持しつつ、この可動ボード５を上記ガイド溝３３ａ，３３ｂに沿って安定した状態でスムーズに昇降変位させることができるという利点がある。
【００５７】
また、上記実施形態のように、前上がりに傾斜したガイド溝３３ａ，３３ｂに可動ボード５の支軸２８ａ，２８ｂを支持させるとともに、可動ボード５の後端部に駆動力伝達機構７を介して車体の前後方向の力を入力することにより、上記ガイド溝３３ａ，３３ｂに沿って可動ボード５を前後方向に移動させつつ昇降駆動するようにした場合には、可動ボード５の下方に例えば昇降駆動用のリンク機構等からなる特別な装置を何ら設けることなくこの可動ボード５を昇降変位させることができるため、可動ボード５の下降時の設置高さをより低くすることができる。これにより、特に体格の大きい乗員の着座姿勢が窮屈になるのを効果的に防止でき、体格に応じたより広範囲な着座姿勢を乗員にとらせることが可能になる。
【００５８】
また、上記実施形態のように、パレット８の底面部３５の前辺部から斜め上方に延びる前方傾斜面部３８の設置角度を、上記ガイド溝３３ａ，３３ｂと略同一の傾斜角度に設定した場合には、上記前方傾斜面部３８を可動ボード５の前端部の移動軌跡に沿うように形成できるため、上記可動ボード５の上下位置にかかわらずこの可動ボード５の前端部とパレット８の前方傾斜面部３８との隙間を常に小さい値に維持することができ、これに応じてフロア部の外観をさらに向上させることができる等の利点がある。
【００５９】
また、上記実施形態のように、乗員の左足が載置されるフットレスト部４５をパレット８の前端部側方に設けた場合には、例えばフロア前方部１３の前端部にフットレスト部を設けた場合と異なり、パレット８をフロア前方部１３上（凹部１７内）に取り付ける際にこのフットレスト部が邪魔になるのを有効に回避でき、パレット８の取付作業性を良好に維持できるという利点がある。すなわち、フロア前方部１３の前端部にフットレスト部を設けた場合には、このフットレスト部の設置部に対応するパレット８の一部に切欠き部等を設けるとともに、このパレット８と上記フットレスト部とが干渉しないように注意しながらパレット８をフロア前方部１３上に設置する必要があるのに対し、パレット８にフットレスト部４５を設けた上記実施形態によれば、このような措置を行う必要がないため、パレット８の円滑な取付作業を妨げることなくフットレスト部４５を適正に設置することができる。
【００６０】
また、上記実施形態のように、パレット８におけるフロアトンネル２側の側壁面部３６上端からフロアトンネル２の側壁に向かって斜め上方に延びる傾斜付き棚部４１を設けた場合には、乗員がこの傾斜付き棚部４１に左足を載置するのを防止してフットレスト部４５等の適正位置に左足を載置するよう乗員に促すことができるため、車両の衝突時等における乗員の安全性をより良好に確保できるという利点がある。すなわち、上記傾斜付き棚部４１を、サイドシル１側に設けられた棚部４０と同様に水平向きに形成した場合には、その水平面上に乗員が容易に左足を載置することができるため、これに応じて乗員の姿勢が安全面上好ましくない姿勢になってしまうおそれがあるが、上記実施形態のように傾斜面からなる傾斜付き棚部４１を形成した場合には、このような事態が生じるのを効果的に抑制して、フットレスト部４５等に左足を載置した適正な姿勢をとるよう乗員に促すことができる。
【００６１】
なお、上記実施形態では、フットレスト部４５をパレット８の他の部位と一体に成形したが、このフットレスト部４５は他の部位よりも大きく上方に突出する部材であるため、これを他の部位と一体に成形すると樹脂成形上の問題が生じることも考えられる。したがってこのような場合には、上記フットレスト部４５をパレット８の他の部位とは別体に構成し、これを樹脂成形後にパレット８に取り付けるようにしてもよい。
【図面の簡単な説明】
【００６２】
【図１】本発明の一実施形態に係る自動車の可動フロア装置の全体構成を示す図である。
【図２】上記可動フロア装置の要部の構成を示す斜視図である。
【図３】上記可動フロア装置の要部の構成を示す分解斜視図である。
【図４】可動ボードを収容するパレットの形態等を示す側面図である。
【図５】図４のＶ−Ｖ線に沿った断面図である。
【図６】上記パレットと支持部材との取付構造を示す分解斜視図である。
【図７】（ａ）はパレットと支持部材とを組み付ける手順の前半部分を示す図、（ｂ）は当該組み付けが完了した状態を示す図である。
【図８】駆動力伝達機構のロッドと上記可動ボードとの連結構造を説明するための図である。
【図９】同構造を説明するための斜視図である。
【図１０】駆動力伝達機構の具体的構成を示す斜視図である。
【図１１】図１０のXI−XI線に沿った断面図である。
【図１２】上記駆動力伝達機構の動作を説明するための図であり、（ａ）は可動ボード下降時の状態、（ｂ）は可動ボード上昇時の状態を示している。
【図１３】乗員用シートを前方に移動させるとともに上記可動ボードを上昇させた状態を示す図である。
【符号の説明】
【００６３】
１  サイドシル
２  フロアトンネル
３  車体フロア
４  乗員用シート
５  可動ボード
６  電動モータ（駆動源）
７  駆動力伝達機構
８  パレット
１１  クロスメンバ
１４  フロアキックアップ部
２８ａ，２８ｂ  支軸
３０  支持部材
３３ａ，３３ｂ  ガイド溝
３１  立壁部
３５  底面部
３６  側壁面部
３８  前方傾斜面部
４１  傾斜付き棚部
４４ａ，４４ｂ  スライド孔
４５  フットレスト部
【図１】
2008049922.tif 000003
【図２】
2008049922.tif 000004
【図３】
2008049922.tif 000005
【図４】
2008049922.tif 000006
【図５】
2008049922.tif 000007
【図６】
2008049922.tif 000008
【図７】
2008049922.tif 000009
【図８】
2008049922.tif 000010
【図９】
2008049922.tif 000011
【図１０】
2008049922.tif 000012
【図１１】
2008049922.tif 000013
【図１２】
2008049922.tif 000014
【図１３】
2008049922.tif 000015